(57)【特許請求の範囲】
【請求項１】
帯板状の表面化粧部の裏側略中央に嵌合凸部が長手方向に沿って突設されたカバー部材と、カバー部材を取付保持するために嵌合凸部が嵌合される嵌合凹部を有して建物躯体に固定されるベース部材と、を備え、カバー部材の表面化粧部の両側背方にサイディング本体の端部が納められるサイディング用役物であって、長手方向で隣接するカバー部材の端部間に連結杆を介設し、カバー部材の基片から一対の脚片を分岐させて嵌合凸部を二股状に突設し、連結杆の両端部分には三股状に分岐した三つの係止片でなる係止部を形成し、一つの係止片を一対の脚片の間隔スペースに挿入し、残り二つの係止片で基片をその両側から挟持することで、係止部がカバー部材の嵌合凸部の端縁部分に係着されるようになしたもので、連結杆の両端部分に形成した係止部をカバー部材の嵌合凸部の端縁部分に係着してカバー部材を連結し、この状態で嵌合凸部を嵌合凹部に嵌合して、複数のカバー部材が連結一体化されてベース部材に取付保持されるようになしたサイディング用役物。
【請求項２】
カバー部材の表面化粧部が断面略直角に折曲していて建物躯体のコーナー部位に適用されるものであることを特徴とする請求項１記載のサイディング用役物。
【請求項３】
表面化粧部と嵌合凸部とを別部材とし両者を結合してカバー部材を形成し、長手方向の寸法を表面化粧部よりも嵌合凸部を短くして、連結杆が表面化粧部の端縁部分の裏側に納め覆われるようになしたことを特徴とする請求項２記載のサイディング用役物。
【発明の詳細な説明】
【技術分野】
【０００１】
本願発明は、ベース部材にカバー部材を取付保持させて、カバー部材の両側背方にサイディング本体の端部が納められるようになした、建物の外装等に適用されるサイディング用役物に関するものである。
【背景技術】
【０００２】
従来から、図５に示すように、カバー部材３を外壁である建物躯体５に固定されるベース部材６に取付保持させて、カバー部材３の両側背方に外壁板材であるサイディング本体７の端部が納められるサイディング用役物は知られている（特開２００５−１５５１３４号公報）。このサイディング用役物にあっては、帯板状の表面化粧部１の裏側略中央に二股状の嵌合凸部２が長手方向に沿って突設されたカバー部材３と、カバー部材３を取付保持するために嵌合凸部２が嵌合される嵌合凹部４を有して建物躯体５に固定されるベース部材６と、を備え、カバー部材３の表面化粧部１の両側背方にサイディング本体７の端部が納められる。
【０００３】
したがって、この場合、サイディング本体７の端部がカバー部材３の表面化粧部１で覆い隠されて外装の目地部位は外観良く納められ、この目地部位からの雨水等の侵入も防止される。ところで、サイディング本体７としては金属サイディングと称されるものが一般的で、化粧された亜鉛メッキ鋼鈑やステンレス板等の裏面にロックウール等の断熱材を装着一体化して形成され、通常は建物の外壁にカバー部材３とベース部材６とを備えた金属製のサイディング用役物を用いて取り付けられる。また、サイディング用役物は外壁の平面部位だけでなく出隅や入隅等のコーナー部位にも適用され、その場合、カバー部材３の表面化粧部１がコーナー部位に対応して断面略直角に折曲している。
【特許文献１】特開２００５−１５５１３４号公報
【発明の開示】
【発明が解決しようとする課題】
【０００４】
しかしながら、上記従来例であるサイディング用役物においては、カバー部材３が長尺ではあるが所定の長さ寸法であり、ベース部材６に対して複数本のカバー部材３を各別に取付保持させなければならず、施工が困難で面倒となるものであった。また、カバー部材３をより長尺寸法に形成することで施工を簡略化することも考えられるが、この場合、カバー部材３を取り扱い難くなり、施工はそれ程に簡単とならず、製品の梱包形態が長寸法となって運搬等にも問題が発生する。しかも、複数本のカバー部材３を各別に取付保持させるので、各カバー部材３は直線的に並び難く、目地の直線性についての施工仕上がり外観に支障を来すという問題が発生する。
【０００５】
本願発明は、上記背景技術に鑑みてなされたものであり、その課題は、施工が簡単で仕上がり外観も良好となるサイディング用役物を提供することである。
【課題を解決するための手段】
【０００６】
上記課題を解決するために、本願発明のサイディング用役物は、帯板状の表面化粧部の裏側略中央に嵌合凸部が長手方向に沿って突設されたカバー部材と、カバー部材を取付保持するために嵌合凸部が嵌合される嵌合凹部を有して建物躯体に固定されるベース部材と、を備え、カバー部材の表面化粧部の両側背方にサイディング本体の端部が納められるサイディング用役物であって、長手方向で隣接するカバー部材の端部間に連結杆を介設し、連結杆の両端部分に形成した係止部をカバー部材の嵌合凸部の端縁部分に係着してカバー部材を連結し、この状態で嵌合凸部を嵌合凹部に嵌合して、複数のカバー部材が連結一体化されてベース部材に取付保持されるようになしたものである。
【発明の効果】
【０００７】
本願発明のサイディング用役物においては、嵌合凸部が嵌合凹部に嵌合されてカバー部材はベース部材に取付保持され、カバー部材の表面化粧部の両側背方にサイディング本体の端部が体裁良く納められて保護される。
【０００８】
しかも、その際、連結杆の両端部分に形成した係止部をカバー部材の嵌合凸部の端縁部分に係着してカバー部材を連結し、この状態で嵌合凸部を嵌合凹部に嵌合して、複数のカバー部材が連結一体化されてベース部材に取付保持されるので、複数のカバー部材をまとめて取付保持させることができて施工は簡単となる。更には、各カバー部材を分離しておくことで運搬時や施工時等における取り扱いも容易となり、複数のカバー部材が直線的に並び易くて目地の直線性についての施工仕上がり外観も確保される。
【０００９】
また、連結杆は、その両端部分に形成した係止部がカバー部材の嵌合凸部の端縁部分に係着されて複数のカバー部材を連結するので、カバー部材の形状はそのままでよく、構造が複雑化しない。しかも、この場合、連結杆によって長手方向で隣接するカバー部材の端部間が一定間隔に保持されるので、このカバー部材の端部間に現出する目地ラインの様相や位置を確保し易いものである。
【発明を実施するための最良の形態】
【００１０】
図１〜４は、本願の請求項１〜３全てに対応した一実施形態を示している。この実施形態のサイディング用役物は、図１、２に示すように、帯板状の表面化粧部１の裏側中央に嵌合凸部２が長手方向に沿って突設されたカバー部材３と、カバー部材３を取付保持するために嵌合凸部２が嵌合される嵌合凹部４を有して建物躯体５に固定されるベース部材６と、を備えており、カバー部材３の表面化粧部１の両側背方にサイディング本体７の端部が納められるものである。
【００１１】
この場合に、長手方向で隣接するカバー部材３の端部間に連結杆８を介設し、連結杆８の両端部分に形成した係止部９をカバー部材３の嵌合凸部２の端縁部分に係着してカバー部材３を連結し、この状態で嵌合凸部２を嵌合凹部４に嵌合して、複数のカバー部材３が連結一体化されてベース部材６に取付保持されるようになしている。
【００１２】
また、この実施形態のサイディング用役物にあっては、基片１０から一対の脚片１１を分岐させて嵌合凸部２を二股状に突設し、連結杆８の両端部分には三股状に分岐した三つの係止片９ａ、９ｂでなる係止部９を形成している。そして、一つの係止片９ａを一対の脚片１１の間隔スペースＳに挿入し、残り二つの係止片９ｂで基片１０をその両側から挟持することにより、係止部９がカバー部材３の嵌合凸部２の端縁部分に係着されるようになしている。
【００１３】
また、この実施形態のサイディング用役物は、図３、４にも示すように、カバー部材３の表面化粧部１が断面略直角に折曲していて建物躯体５のコーナー部位に適用されるものである。しかも、図１に示すように、表面化粧部１と嵌合凸部２とを別部材とし両者を結合してカバー部材３を形成し、長手方向の寸法を表面化粧部１よりも嵌合凸部２を短くして、連結杆８が表面化粧部１の端縁部分の裏側に納め覆われるようになしている。
【００１４】
以下、この実施形態のサイディング用役物をより具体的詳細に説明する。この実施形態のサイディング用役物は、建物の外装に適用されるもので、図１に示すように、建物の外壁である建物躯体５のコーナー部位に固定されるベース部材６にカバー部材３を取付保持させ、このカバー部材３の両側背方に外壁板材であるサイディング本体７の端部を納めるものである。サイディング本体７は金属サイディングと称されるもので、化粧された亜鉛メッキ鋼鈑やステンレス板等の裏面にロックウール等の断熱材を装着一体化して形成されたものである。
【００１５】
また、図３に示すように、サイディング本体７は建物の外壁のコーナー部位両側に横張り施工されるもので、サイディング用役物がコーナー部位での縦目地部位に適用されることになり、上下に複数枚並設されるサイディング本体７の側端部をカバー部材３が覆い隠すことになる。この実施形態のサイディング用役物は、外壁の出隅コーナー部位に適用されるもので、カバー部材３の表面化粧部１が出隅コーナー部位に対応して断面略直角に折曲したものとなっているが、本願発明のサイディング用役物は、外壁の出隅コーナー部位だけでなく入隅コーナー部位や平面部位に適用されるものであってもよく、平面部位に適用される場合を、図３の図中右側にカバー部材３１として示しており、この場合には、カバー部材３１の表面化粧部１が平板状となる。
【００１６】
カバー部材３は、図１に示すように、主として嵌合凸部２を構成する内部材１２と、主として表面化粧部１を構成する外部材１３と、で形成されている。内部材１２は上辺部分が断面略直角に折曲した全体として断面略Ｔ字状のアルミニウム型材でなり、同上辺部分にこれと対応して断面略直角に折曲した外部材１３が取着固定されている。外部材１３は前記サイディング本体７の表面部材と同種の材料で形成されており、外部材１３で構成される表面化粧部１の両側背方にＥＰＤＭでなる防水パッキン材１４が長手方向に沿って装着されている。この防水パッキン材１４はサイディング本体７の側端部表面に密着状に圧接され、コーナー部位での縦目地部位からの雨水等の侵入を防止する。
【００１７】
カバー部材３は、図２、４に示すように、連結杆８を介して上下方向に複数連結されるものである。その際、各カバー部材３上端縁の表面化粧部１の裏側から上方へ突出延設された水返し片１５の外側に、上側に連結されるカバー部材３の表面化粧部１の下端縁部分が重ね合わされ、各カバー部材３間での防水性が確保される。この場合、水返し片１５は水切り凹溝１５ａを有した形状であり、前記外部材１３の上端縁部分が延出され折曲されて、この外部材１３と一体に形成されている。
【００１８】
また、図３、４に示すように、サイディング本体７の表面にはタイル張り調模様が施されていて横方向の目地状溝７ａが形成されており、この実施形態のサイディング用役物では、同目地状溝７ａと連続する様相の横凹溝３ａがカバー部材３の表面化粧部１に形成されている。なお、各カバー部材３の上下長さ寸法は外壁に横張り施工されるサイディング本体７の上下巾寸法と等しく設定されており、この場合、上下の各サイディング本体７間の目地ラインと各カバー部材３間の連結ラインとが一直線状に連続される。
【００１９】
図１に示すように、カバー部材３の前記断面略Ｔ字状の内部材１２は前記外部材１３よりも短い上下長さ寸法で、その中辺部分が上辺部分から二股状に突設されて、一対の脚片１１を基片１０から二股状に分岐させて形成した嵌合凸部２となっている。両脚片１１の先端縁外側には係止凸起１６が形成されており、この係止凸起１６が嵌合凹部４内で係止されることにより、嵌合凸部２は嵌合凹部４内に抜け外れないよう嵌合保持されるものであり、その際、嵌合凸部２は嵌合凹部４に弾性的に嵌合保持される。
【００２０】
また、建物躯体５に固定されるベース部材６は断面略逆Ｔ字状で、前記カバー部材３の内部材１２と同種の材料で形成され、建物躯体５に当接固着される断面略直角に折曲した基板部１７と、この基板部１７の表側略中央で対にして突設される起立片部１８と、を有した形状となっている。両起立片部１８間の中程には補強片部１９が一体に架設されており、この補強片部１９よりも表側の両起立片部１８間のスペースが嵌合凹部４となる。嵌合凹部４の内壁には複数の係止凸片２０が突出形成されており、奥方両側の係止凸片２０に前記両脚片１１の係止凸起１６が係止されることで、嵌合凸部２は嵌合凹部４内に抜け外れないよう嵌合保持されており、その際、先方両側の係止凸片２０も両脚片１１の外側に圧接されていて、嵌合凸部２が嵌合凹部４に弾性的に嵌合保持されている。
【００２１】
ベース部材６の基板部１７の両側表面には凸条２１が突設されており、凸条２１の上からサイディング本体７の端部が載設して納められ、凸条２１は雨水等がサイディング本体７の裏側へ廻って侵入するのを防止する水切りの役目を果たす。また、ベース部材６には複数のＶ字状溝２２が形成されており、このＶ字状溝２２に沿った位置でねじ、ビス等の固着具を貫通させて、この固着具によりベース部材６は建物躯体５に取着固定される。また、ベース部材６の基板部１７の前記両起立片部１８両側近傍には凸起片２３が突設されており、この凸起片２３にはサイディング本体７の端部が当止され、サイディング本体７の端部は位置決めされて納められる。
【００２２】
連結杆８は合成樹脂で一体に形成されたもので、図２（ｂ）に示すように、中程部分が内側へ略コ字状に屈曲しており、その両端部分には三股状に分岐した一つの係止片９ａと二つの係止片９ｂでなる係止部９が形成されている。また、前記のように、カバー部材３の嵌合凸部２は基片１０から一対の脚片１１を二股状に分岐させて突設したものとなっており、一つの係止片９ａを一対の脚片１１の間隔スペースＳに挿入し、残り二つの係止片９ｂで基片１０をその両側から挟持することにより、連結杆８の両係止部９がカバー部材３の嵌合凸部２の端縁部分に各々係着されるものである。
【００２３】
したがって、この実施形態のサイディング用役物においては、嵌合凸部２となる一対の脚片１１が嵌合凹部４に対し弾性的に嵌合されて、カバー部材３はベース部材６に対して容易に取付保持され、カバー部材３の表面化粧部１の両側背方に、横張りされた複数枚のサイディング本体７の側端部が体裁良く隠し納められて保護される。
【００２４】
しかも、その際、連結杆８の両端部分に形成した係止部９をカバー部材３の嵌合凸部２の端縁部分に係着してカバー部材３を連結し、この連結状態で嵌合凸部２を嵌合凹部４に嵌合しており、このように、複数のカバー部材３が連結一体化された状態でベース部材６に取付保持されるため、複数のカバー部材３を一連にまとめて取付保持させることができて施工は簡単となる。更には、連結杆８を外して各カバー部材３を分離しておくことで運搬時や施工時等における取り扱いも容易となり、複数のカバー部材３が直線的に並び易くて縦目地の直線性についての施工仕上がり外観も確保される。
【００２５】
また、連結杆８は、その両端部分に形成した係止部９がカバー部材３の嵌合凸部２の端縁部分に係着されて複数のカバー部材３を連結するので、カバー部材３の形状はそのままでよくて構造が複雑化しない。しかも、この場合、連結杆８によって長手方向で上下に隣接するカバー部材３の端部間が一定間隔に保持されるので、このカバー部材３の端部間に現出する目地ラインの上下巾寸法や様相や位置等を確保し易いものである。
【００２６】
更に、この場合、基片１０から一対の脚片１１を分岐させて嵌合凸部２を二股状に突設し、連結杆８の両端部分には三股状に分岐した三つの係止片９ａ、９ｂでなる係止部９を形成して、一つの係止片９ａを一対の脚片１１の間隔スペースＳに挿入し、残り二つの係止片９ｂで基片１０をその両側から挟持することで、係止部９がカバー部材３の嵌合凸部２の端縁部分に係着されるため、各カバー部材３は連結杆８を介して確実に連結され、各カバー部材３が長手方向軸廻りに相互間で回動することもなく、複数のカバー部材３を連結一体化させた状態で嵌合凸部２を嵌合凹部４に嵌合させ易くなる。
【００２７】
また、この実施形態のサイディング用役物は、カバー部材３の表面化粧部１が断面略直角に折曲していて建物躯体５のコーナー部位に適用されるものであるため、連結された複数のカバー部材３が長手方向軸廻りに相互間で回動しないことにより、建物のコーナー部位における直線状の角外観に支障を来たさず特に有効となっている。
【００２８】
また、この実施形態のサイディング用役物においては、表面化粧部１と嵌合凸部２とを別部材（外部材１３、内部材１２）とし両者を結合してカバー部材３を形成し、長手方向の寸法を表面化粧部１（外部材１３）よりも嵌合凸部２（内部材１２）を短くして、連結杆８が表面化粧部１（外部材１３）の端縁部分の裏側に納め覆われるようになっているので、連結杆８は各カバー部材３の間から露出せず、外観がより良好に納まり、防水性も向上される。
【図面の簡単な説明】
【００２９】
【図１】本願発明の一実施形態であるサイディング用役物の施工された状態を示す断面図。
【図２】同サイディング用役物における（ａ）は連結杆を示す斜視図、（ｂ）はカバー部材と連結杆との係着状態を示す概略断面図。
【図３】同サイディング用役物の施工された状態を示す外観斜視図。
【図４】同サイディング用役物におけるカバー部材の相互関係を示す（ａ）は分離状態での外観斜視図、（ｂ）は連結状態での外観斜視図。
【図５】従来例であるサイディング用役物の施工された状態を示す断面図。
【符号の説明】
【００３０】
１  表面化粧部
２  嵌合凸部
３  カバー部材
４  嵌合凹部
５  建物躯体
６  ベース部材
７  サイディング本体
８  連結杆
９  係止部
９ａ、９ｂ  係止片
１０  基片
１１  脚片
【図１】
0004678313.tif 000002
【図２】
0004678313.tif 000003
【図３】
0004678313.tif 000004
【図４】
0004678313.tif 000005
【図５】
0004678313.tif 000006